(57)【特許請求の範囲】
【請求項１】
自身の傾きを検出する傾き検出部を有し、各種信号を送信するリモートコントローラと、
このリモートコントローラから送信される信号に基づき、電源ＯＮ／ＯＦＦおよび各種操作の制御が行われる複数の異なる機器と、
前記リモートコントローラから送信される信号に基づき、電源ＯＮ／ＯＦＦおよび前記複数の異なる機器へ電源供給を制御する電源制御アダプタと、
を備え、
前記傾き検出部により傾いたことが検出された場合に、前記リモートコントローラが前記電源制御アダプタへ電源ＯＮを示す信号を送信し、前記電源制御アダプタが前記複数の異なる機器へ電源を供給することを特徴とする省電力システム。
【請求項２】
前記リモートコントローラの傾き検出部により傾いたことが検出された場合に、前記リモートコントローラが前記電源制御アダプタへ電源ＯＮを示す信号を送信した後、前記複数の異なる機器毎に電源ＯＮ／ＯＦＦまたは登録されたリモコンコマンドを送信することを特徴とする請求項１記載の省電力システム。
【請求項３】
所定時間、前記リモートコントローラの傾き検出部による傾きが検出されず、かつ、前記複数の異なる機器が全て電源ＯＦＦ状態である場合には、前記リモートコントローラが前記電源制御アダプタへ電源ＯＦＦを示す信号を送信することを特徴とする請求項１記載の省電力システム。
【請求項４】
前記リモートコントローラはタイマー機能を有し、
所定時間、前記リモートコントローラの傾き検出部による傾きが検出されず、かつ、前記タイマー機能により所定時刻以降であることが判定された場合には、前記リモートコントローラが、前記電源制御アダプタへ全ての複数の異なる機器を電源ＯＦＦ状態にする信号を送信し、その後、前記電源制御アダプタの電源ＯＦＦを示す信号を送信することを特徴とする請求項１記載の省電力システム。
【請求項５】
各種信号を送信するリモートコントローラと、
このリモートコントローラから送信される信号に基づき、電源ＯＮ／ＯＦＦおよび各種操作の制御が行われる複数の異なる機器と、
前記リモートコントローラから送信される信号に基づき、電源ＯＮ／ＯＦＦおよび前記複数の異なる機器への電源供給を制御する電源制御アダプタと、
人体の動きを検知する人体検知手段と、
を備え、
前記人体検知手段により人体が検出された場合に、前記人体検知手段が前記リモートコントローラへ人体検知信号を送信し、この人体検知信号に基づき前記リモートコントローラが前記電源制御アダプタへ電源ＯＮを示す信号を送信し、前記電源制御アダプタが前記複数の異なる機器へ電源を供給することを特徴とする省電力システム。
【請求項６】
前記人体検知手段により人体が検出された場合に、前記人体検知手段が前記電源制御アダプタへ人体検知信号を送信し、この人体検知信号に基づき前記電源制御アダプタが前記複数の異なる機器へ電源ＯＮを示す信号を送信し、前記複数の異なる機器へ電源を供給することを特徴とする請求項５記載の省電力システム。
【請求項７】
前記電源制御アダプタが電源ＯＦＦの状態の時に、前記リモートコントローラから前記電源制御アダプタへ前記複数の異なる機器への電源ＯＮを示す信号および前記複数の異なる機器へ各種操作を示す信号が送信された場合には、前記電源制御アダプタが前記リモートコントローラに対して前記複数の異なる機器への各種操作を示す信号を再送信するように指示することを特徴とする請求項１〜６記載の省電力システム。
【請求項８】
前記リモートコントローラから前記電源制御アダプタへ前記機器への電源ＯＦＦを示す信号が送信され、前記複数の異なる機器が全て電源ＯＦＦ状態になった場合には、前記電源制御アダプタを電源ＯＦＦ状態にすることを特徴とする請求項１〜６記載の省電力システム。
【発明の詳細な説明】
【０００１】
【発明の属する技術分野】
この発明は、家庭用電気機器（以下、家電という）、住設備機器等の電源ＯＦＦ時に消費される待機電力を削減する省電力システムに関するものである。
【０００２】
【従来の技術】
まず、家電、住宅設備機器の操作手段として、リモートコントローラ（以下、リモコンという）がある。このリモコンは、操作者が例えばテレビやエアコン等の家電、住宅設備機器から離れた位置で操作するには大変便利な操作手段であり、広く普及している。
【０００３】
また、リモコンの操作対象となる機器には、一般的に電源のＯＮ／ＯＦＦの制御を行う機能が備えられている。そこで、機器本体の電源をＯＦＦの状態からＯＮの状態へ変更するために、リモコンから送信される符号化されたリモコン通信コマンドを判別して制御を行うリモコン受信部には、機器本体の電源がＯＦＦの状態であっても、常に動作用の電源を供給する必要がある。
【０００４】
このように、リモコンまたは機器本体の操作部で操作が行われた場合に機器がすぐに動作するために、機器本体の電源がＯＦＦ状態であっても、機器へ連続して供給される電力を一般的に待機電力という。
そこで、昨今の家庭には多くの機器にリモコン機能が搭載されており、待機電力として平均で全消費電力の約１割が消費されている。
【０００５】
これら待機電力に月々に支払われる電気代（平均的な家庭で約７００円／月）や、昨今深刻化する地球温暖化の防止策としての省エネルギー要求が高揚する中で、上記待機電力が社会的にも大きな問題となってきており、待機電力の削減が求められている。
【０００６】
そこで、これまで待機電力削減手段がいくつか提案されている。
例えば、特開昭６１−２４１９３号公報記載の「照明制御装置」は、人または人の動きを検知して、複数の照明装置を個別に全灯・調光・消灯状態にし、環境、人の存在とを合わせて最適且つ十分な省エネルギー効果を有するものである。
また、特開昭５７−１０３４９４号公報記載の「リモートコントロール装置」は、回路を組み込み、リモコンから信号が送信された場合に所定時間だけリモコン受信器の動作用電源を供給することにより待機電力削減を図ったものである。  また、特開昭５６−１１５０１３号公報記載の「コントロール装置」は、コントロール装置により各機器への動作電圧の供給を制御するものが示されている。
【０００７】
【発明が解決しようとする課題】
上記のような従来の待機電力削減手段では、省エネルギー効果を得るために、人の存在を検知し、複数の照明装置を個別に全灯・調光・消灯状態の各状態に制御するが、制御対象が照明装置の１種類であり、複数種類の機器を対象としたものではく、複数種類の機器毎には制御できないという問題点があった。
また、予め待機電力削減手段である回路やコントロール装置を家電や住宅設備機器に組み込まなければならず、既存の家電や住宅設備機器には有効でなく、この待機電力削減手段を組み込んだ新たな家電や住宅設備機器を入手しなければならないという問題点があった。
また、コントロール装置により制御する場合には、管理できる機器が定められてしまう制約があるという問題点があった。
【０００８】
この発明は、上述のような課題を解決するためになされたもので、広く普及した既存のリモコン対応機器に簡単に取り付けることができるとともに、操作性をあまり損なうことなく待機電力の削減を実現する省電力システムを得ることを目的とする。
【０００９】
【課題を解決するための手段】
本発明による省電力システムは、自身の傾きを検出する傾き検出部を有し、各種信号を送信するリモートコントローラと、このリモートコントローラから送信される信号に基づき、電源ＯＮ／ＯＦＦおよび各種操作の制御が行われる複数の異なる機器と、リモートコントローラから送信される信号に基づき、電源ＯＮ／ＯＦＦおよび複数の異なる機器への電源供給を制御する電源制御アダプタと、を備え、傾き検出部により傾いたことが検出された場合に、リモートコントローラが電源制御アダプタへ電源ＯＮを示す信号を送信し、電源制御アダプタが複数の異なる機器へ電源を供給するものである。
【００１０】
また、リモートコントローラの傾き検出部により傾いたことが検出された場合に、リモートコントローラが電源制御アダプタへ電源ＯＮを示す信号を送信した後、複数の異なる機器毎に電源ＯＮ／ＯＦＦまたは登録されたリモコンコマンドを送信するものである。
【００１１】
さらに、所定時間、リモートコントローラの傾き検出部による傾きが検出されず、かつ、複数の異なる機器が全て電源ＯＦＦ状態である場合には、リモートコントローラが電源制御アダプタへ電源ＯＦＦを示す信号を送信するものである。
【００１２】
また、リモートコントローラはタイマー機能を有し、所定時間、リモートコントローラの傾き検出部による傾きが検出されず、かつ、タイマー機能により所定時刻以降であることが判定された場合には、リモートコントローラが、電源制御アダプタへ全ての複数の異なる機器を電源ＯＦＦ状態にする信号を送信し、その後、電源制御アダプタの電源ＯＦＦを示す信号を送信するものである。
【００１３】
また、各種信号を送信するリモートコントローラと、このリモートコントローラから送信される信号に基づき、電源ＯＮ／ＯＦＦおよび各種操作の制御が行われる複数の異なる機器と、リモートコントローラから送信される信号に基づき、電源ＯＮ／ＯＦＦおよび複数の異なる機器への電源供給を制御する電源制御アダプタと、人体の動きを検知する人体検知手段と、を備え、人体検知手段により人体が検出された場合に、人体検知手段がリモートコントローラへ人体検知信号を送信し、この人体検知信号に基づきリモートコントローラが電源制御アダプタへ電源ＯＮを示す信号を送信し、電源制御アダプタが複数の異なる機器へ電源を供給するものである。
【００１４】
また、人体検知手段により人体が検出された場合に、人体検知手段が電源制御アダプタへ人体検知信号を送信し、この人体検知信号に基づき電源制御アダプタが複数の異なる機器へ電源ＯＮを示す信号を送信し、複数の異なる機器へ電源を供給するものである。
【００１６】
電源制御アダプタが電源ＯＦＦの状態の時に、リモートコントローラから電源制御アダプタへ複数の異なる機器への電源ＯＮを示す信号および機器へ各種操作を示す信号が送信された場合には、電源制御アダプタがリモートコントローラに対して複数の異なる機器への各種操作を示す信号を再送信するように指示するものである。
【００１７】
リモートコントローラから電源制御アダプタへ機器への電源ＯＦＦを示す信号が送信され、複数の異なる機器が全て電源ＯＦＦ状態になった場合には、電源制御アダプタを電源ＯＦＦ状態にするものである。
【００１８】
【発明の実施の形態】
実施の形態１．
図１はこの発明の実施の形態１である省電力システムの全体構成図、図２はこの省電力システムの電源制御アダプタの構成図、図３はこの省電力システムのリモートコントローラの構成図、図４はこの省電力システムのリモートコントローラの動作を示すフローチャート、図５はこの省電力システムの電源制御アダプタの動作を示すフローチャートである。
【００１９】
図において、１は後述の電源制御アダプタ２および各リモコン操作対象機器へ信号を送信するリモートコントローラ（以下、リモコンという）、２は電源制御アダプタ、３ａ、３ｂ、３ｃはそれぞれ各リモコン操作対象機器（以下、機器という）への電源供給線であり、例えば各機器の電源コードでもよく、各電源コードの端部の電源プラグを電源制御アダプタ２の電源コンセント部へ差し込んでもよい。
【００２０】
４は電源制御アダプタ２へ商用電力を供給する商用電力線、５、６、７はそれぞれ電源供給線３ａ、３ｂ、３ｃを介して電源制御アダプタ２に接続され、電源ＯＮ／ＯＦＦを制御される機器の一例としてのテレビ、ビデオ、オーディオ装置、３０はリモコン１が置かれていた場所である。
【００２１】
８はリモコン１から送信された通信コマンドを受信し、符号化された通信コマンドをデコードする受信部、９は受信部８によりデコードされた通信コマンドを解釈して電源制御を行なう制御部、１０は制御部９で解釈した電源制御内容に基づいて機器への電源供給を制御する電力制御部である。
【００２２】
１１はボタン等の操作手段から構成される操作部、１２は感振計等による傾き検出部、１３は操作部１１からの操作入力および傾き検出部１２からの傾き検出に基づいて、機器操作用のリモコンコマンドを生成する制御部であり、リモコン１の一連の操作内容を記憶する機能を有する。１４は制御部１３からの通信要求に基づいて制御部１３からの符号化された通信コマンドを赤外線信号に変換して送信する通信部である。
【００２３】
次に、動作について説明する。
まず、操作者が場所３０からリモコン１を持ち上げると、リモコン１が傾くため、傾き検出部１２が作動し、傾きを検出する。そして、傾き検出部１２が傾いたことを制御部１３へ伝達する。制御部１３では、この傾きに基づき、操作者がこのあと電源投入操作を行なうと予測し、通信部１４へ電源制御アダプタ２を電源ＯＮし、稼動するよう指示する。なお、制御部１３が過去のリモコン１の操作内容を参照して電源制御アダプタ２がすでに電源ＯＮ状態であれば指示しない。
【００２４】
次に、図４を用いてリモコン１の動作について説明する。
リモコン１の制御部１３は、傾き検出部１２により傾きの有無を検知する（ステップＳ１）。そこで、操作者がリモコン１を持ち上げることによって、傾いたことが検知された場合には、過去の操作内容、例えば、電源制御アダプタ２への電源ＯＮコマンド信号の有無等から電源制御アダプタ２が電源ＯＮ状態であるかどうかを判定する（ステップＳ２）。
【００２５】
そこで、電源ＯＮ状態ではない場合には、通信部１４へ電源制御アダプタ２に対する電源ＯＮコマンドを送信するように指示し、電源ＯＮコマンドの赤外線信号が送信される（ステップＳ３）。これにより、リモコン１を場所３０から持ち上げただけで、電源制御アダプタ２へ電源ＯＮコマンドが送信され、他に特別な操作を行うことなく、電源制御アダプタ２がＯＮ状態になる。
【００２６】
次に、図５を用いて電源制御アダプタ２の動作について説明する。
まず、電源制御アダプタ２には待機電力が供給されており、制御部９および受信部８は稼動状態である。
そこで、制御部９は、受信部８により受信した赤外線信号を解析し、電源制御アダプタコマンドであるかどうか判定する（ステップＳ４）。そこで、電源制御アダプタコマンドであり、かつ、電源制御アダプタコマンドが電源制御アダプタ２の稼動を要求する電源ＯＮの制御を示す場合には、電源制御アダプタ２が既に電源ＯＮ状態であるかどうか判定し（ステップＳ５）、電源制御アダプタ２が電源ＯＮ状態でなければ電源ＯＮの制御を指示する（ステップＳ６）。
【００２７】
これにより、電源制御アダプタ２が稼動し、電力制御部１０が制御部９の指示を受けて、商用電力線４の電力を各電力供給線３ａ、３ｂ、３ｃへ出力する。すなわち、電力供給線３ａ、３ｂ、３ｃからテレビ５、ビデオ６、オーディオ装置７へ電力が供給される。その後、リモコン１により、電力供給された機器の電源ＯＮ／ＯＦＦ等の各種操作が可能となる。
【００２８】
一方、ステップＳ４において、電源制御アダプタコマンドであり、かつ電源制御アダプタコマンドが電源制御アダプタ２の稼動停止を要求する電源ＯＦＦの制御を示す場合には、電源制御アダプタ２が既に電源ＯＦＦ状態であるかどうか判定し（ステップＳ７）、電源制御アダプタ２が電源ＯＦＦ状態でなければ電源ＯＦＦ制御を指示する（ステップＳ８）。これにより、テレビ５、ビデオ６、オーディオ装置７の各機器への電力供給が停止する。よって、各機器の待機電力が不要となり、電源制御アダプタ２だけが待機電力を有するため、待機電力の削減が可能となる。
【００２９】
実施の形態２．
図６はこの発明の実施の形態２である省電力システムのリモートコントローラの動作を示すフローチャートである。
なお、省電力システムの全体構成図、電源制御アダプタの構成図、リモートコントローラの構成図はそれぞれ図１、２、３を用いる。
【００３０】
次に、動作について説明する。
まず、操作者が場所９からリモコン１を持ち上げると、リモコン１が傾くため、傾き検出部１２が作動し、傾きを検出する。そして、傾き検出部１２が傾いたことを制御部１３へ伝達する。制御部１３では、この傾きに基づき、操作者がこのあと電源投入操作を行なうと予測し、通信部１４へ電源制御アダプタ２を電源ＯＮし稼動するよう指示する。
【００３１】
その後、通信部１４は登録されたコマンドに応じて所定のリモコンコマンドを送信する。なお、登録されたコマンドは何も送信しないという場合も含む。但し、リモコン１が過去の操作内容を参照して電源制御アダプタ２がすでに電源ＯＮ状態であれば、所定のリモコンコマンドを送信しない。
【００３２】
次に、図６を用いてリモコン１の動作について説明する。
まず、ステップＳ１〜Ｓ３については、実施の形態１と同様であり、ステップＳ３による電源ＯＮコマンド送信後、登録されたリモコンコマンドを送信する  （ステップＳ９）。このリモコンコマンドは、例えば、テレビ５の種類によっては電源が供給されると稼動してしまうものがあり、ステップＳ３により電源制御アダプタ２が電源ＯＮ状態になることにより、テレビ５がすぐ稼動した場合には、ひとまず操作者がテレビ５を見ないために、テレビ５の電源ＯＦＦ状態にするコマンドを送信する。これにより、テレビ５を電源ＯＦＦできる。
【００３３】
あるいは、別の例として、操作者が外出からの帰宅時や就寝からの起床時に、すぐテレビ５やビデオ６を稼動させ録画した番組を見たい場合には、リモコンコマンドとしてテレビ５およびビデオ６を電源ＯＮし、稼動させるコマンドを登録する。これにより、リモコン１を持ち上げるだけで、録画した番組を見ることができ、基本的な家電製品に指示を出すことができる。
また、電源制御アダプタ２では、実施の形態１と同様に、制御部９の指示を受けて商用電力線４から電力供給線３への電力供給を制御する。
【００３４】
以上のように、リモコン１を持ち上げることにより、電源制御アダプタ２から各機器へ電源供給された場合に、所定のリモコンコマンドを送信することにより、あらかじめ操作者が意図した各機器の状態をつくり出すことができる。
【００３５】
実施の形態３．
図７はこの発明の実施の形態３である省電力システムのリモートコントローラの動作を示すフローチャートである。
なお、省電力システムの全体構成図、電源制御アダプタの構成図、リモートコントローラの構成図はそれぞれ図１、２、３を用いる。なお、リモコン１の制御部１３は、タイマー機能を有する。
【００３６】
次に、動作について説明する。
操作者が場所９からリモコン１を持ち上げることにより、電源制御アダプタ２を電源ＯＮにするよう指示することは、実施の形態１と同様である。
【００３７】
次に、図７を用いてリモコン１の動作について説明する。
制御部１３が、リモコン１が全く操作されず、操作部１１からの操作入力や傾き検出部１２からの傾き検出の入力が無い状態が所定時間、例えば１０分間続くかどうかを判定する（ステップＳ１０）。そこで、所定時間継続した場合には、次に過去のリモコン１の操作内容を参照して、テレビ５、ビデオ６、オーディオ装置７の各機器の状態が電源ＯＦＦ状態であるかどうかを調べる（ステップＳ１１）。
【００３８】
そこで、すべての機器が電源ＯＦＦ状態である場合には、電源制御アダプタ２が電源ＯＦＦ状態であるかどうかを調べる（ステップＳ１２）。そこで、電源制御アダプタ２が電源ＯＦＦ状態でなければ、通信部１４へ電源制御アダプタ２を電源ＯＦＦ状態にするように指示する（ステップＳ１３）。通信部１４では制御部１３からの指示を受けて電源制御アダプタ２へ電源ＯＦＦコマンドを送信し、電源制御アダプタ２を電源ＯＦＦ状態にする。
また、電源制御アダプタ２では、実施の形態１と同様に、制御部９の指示を受けて商用電力線４から電力供給線３への電力供給を制御する。
【００３９】
よって、操作者がリモコン１で各機器を電源ＯＦＦ状態にした後、放置した場合には、電源制御アダプタ２をＯＦＦ状態にしなくても、所定時間経過後には電源制御アダプタ２が電源ＯＦＦ状態になるため、電源制御アダプタ２から各機器へ供給される待機電力を削減することができる。
【００４０】
実施の形態４．
図８はこの発明の実施の形態４である省電力システムのリモートコントローラの動作を示すフローチャートである。
なお、省電力システムの全体構成図、電源制御アダプタの構成図、リモートコントローラの構成図はそれぞれ図１、２、３を用いる。なお、リモコン１の制御部１３は、タイマー機能を有する。
【００４１】
次に、動作について説明する。
操作者が場所９からリモコン１を持ち上げることにより、電源制御アダプタ２を電源ＯＮにするよう指示することは、実施の形態１と同様である。
【００４２】
次に、図８を用いてリモコン１の動作について説明する。
制御部１３が、リモコン１が全く操作されず、操作部１１からの操作入力や傾き検出部１２からの傾き検出の入力が無い状態が所定時間、例えば１０分間続くかどうかを判定する（ステップＳ１０）。そこで、所定時間継続した場合には、次に例えば零時等の所定時刻以降であるかどうかを判定する（ステップＳ１４）（以下、所定時刻以降を深夜と呼ぶ）。そこで、深夜である場合には、既に深夜モードになっているかどうかを調べる（ステップＳ１５）。そこで、深夜モードになっていなければ、深夜モードとして登録されたコマンドを送信する（ステップＳ１６）。
【００４３】
ここで、この深夜モードのコマンドとしては、例えばテレビ５、ビデオ６、オーディオ装置７のすべての機器を電源ＯＦＦにするものであり、実施の形態３と同様に、すべての機器が電源ＯＦＦ状態かどうかを調べ、電源ＯＦＦ状態でなければ、電源制御アダプタ２へすべての機器を電源ＯＦＦするように指示し、その後、電源制御アダプタ２を電源ＯＦＦ状態にするものである。
一方、ステップＳ１５で、すでに深夜モードになっていれば送信しない
また、電源制御アダプタ２では、実施の形態１と同様に、制御部９の指示を受けて商用電力線４から電力供給線３への電力供給を制御する。
【００４４】
よって、操作者が就寝時に機器を電源ＯＦＦし忘れたとしても、零時等の深夜の時刻以降になれば、全ての機器の電源および待機電力をＯＦＦするために、就寝時の消し忘れ防止および待機電力の削減を行うことができる。
【００４５】
実施の形態５．
図９はこの発明の実施の形態５である省電力システムの全体構成図、図１０はこの省電力システムのリモートコントローラの構成図、図１１はこの省電力システムの人体検知センサの構成図、図１２はこの省電力システムの人体検知センサの動作を示すフローチャート、図１３はこの省電力システムのリモートコントローラの動作を示すフローチャートである。なお、電源制御アダプタの構成図は図２を用いる。
【００４６】
図において、上記実施形態と同一または相当部分には同一符号を付ける。１１はボタン等の操作手段から構成されるリモコン１の操作部、１２は感振計等による傾き検出部、１３は操作部１１からの操作入力および傾き検出部１２からの傾き検出に基づいて、機器操作用のリモコンコマンドを生成する制御部であり、リモコン１の一連の操作内容を記憶する機能を有する。
【００４７】
１４は制御部１３の通信要求に基づき、制御部１３から出力される符号化された通信コマンドを赤外線信号に変換してリモコン１へ送信する通信部である。この通信部１４は後述の人体検知センサ１５等の外部から赤外線信号を受信し、赤外線信号の符号化された通信コマンドをデコードし、制御部１３へ出力する機能を有する。１５は天井、壁等に設置され、人体の動きを検知する人体検知センサであり、人体検知手段を示す。
【００４８】
１６は人体の動きを検知する人体検知部、１７は人体検知部１６からの出力に基づいて通信コマンドを作成する制御部、１８は制御部１７の通信要求に基づき、制御部１７から出力される符号化された通信コマンドを赤外線信号に変換してリモコン１、電源制御アダプタ２等の外部へ送信する通信部である。
【００４９】
次に、動作について説明する。
人がリモコン１や各機器を置いている部屋に入ることにより、人体検知センサ１５の人体検知部１６が人体の動きを検知する。そして、この検知を制御部１７へ伝達する。制御部１７は通信部１８へ人体検知コマンドを符号化して出力することを指示する。通信部１８は制御部１７の通信要求に基づき、制御部１７から出力され、符号化された通信コマンドを赤外線信号に変換してリモコン１へ送信する。
【００５０】
次に、図１２を用いて人体検知センサ１５の動作について説明する。
人体検知センサ１５の制御部１７は、人体検知部１６から入力があるかどうかを判定し（ステップＳ１７）、入力があった場合は人体を検知したことを示すコマンドを通信部１８へ出力するように指示する（ステップＳ１８）。
【００５１】
リモコン１では、人体検知センサ１５の通信部１８からの人体検知コマンドをリモコン１の通信部１４が受信し、制御部１３へ伝達する。制御部１３では、人体検知に基づき操作者がこのあと電源投入操作を行なうと予測し、通信部１４へ電源制御アダプタ２を電源ＯＮし、稼動にするよう指示する。なお、制御部１３が過去のリモコン１の操作内容を参照して電源制御アダプタ２がすでに電源ＯＮ状態でれば、指示しない。
【００５２】
次に、図１３を用いてリモコン１の動作について説明する。
リモコン１の制御部１３は、人体検知コマンドを受信したかどうかを判定する（ステップＳ１９）。そこで、人体検知センサ１５から人体検知コマンドを受信した場合には、過去の操作内容、例えば電源制御アダプタ２への電源ＯＮコマンドの有無等から電源制御アダプタ２が電源ＯＮ状態であるかどうかを判断する  （ステップＳ２０）。そこで、電源ＯＮ状態ではない場合には、通信部１４へ電源制御アダプタ２に対する電源ＯＮコマンドを送信するように指示し、電源ＯＮコマンドの赤外線信号が送信される（ステップＳ２１）。
また、電源制御アダプタ２では、実施の形態１と同様に、制御部９の指示を受けて商用電力線４から電力供給線３への電力供給を制御する。
【００５３】
よって、人体検知センサ１５により、人が部屋に入ったことを検知することにより、電源制御アダプタ２へ電源ＯＮコマンドが送信され、他に特別な操作を行うことなく、電源制御アダプタ２が電源ＯＮ状態になり、電源制御アダプタ２から各機器へ電力が供給され、リモコン１により、機器の電源ＯＮ／ＯＦＦ等の各種操作が可能となり、各機器へ必要とする時に電力を供給することができる。
【００５４】
なお、この実施の形態６では、人体検知センサ１５により、人が部屋に入ったことを検知する場合について説明したが、部屋に入った人が動き出したことを検知して、各機器へ電力を供給してもよい。
【００５５】
実施の形態６．
図１４はこの発明の実施の形態６である省電力システムの人体検知センサの動作を示すフローチャートである。なお、省電力システムの全体構成図、リモートコントローラの構成図、電源制御アダプタの構成図、人体検知センサの構成図は、それぞれ図９、図１０、図２、図１１を用いる。
【００５６】
次に、動作について説明する。
人がリモコン１を置いている部屋に入ることにより、人体検知センサ１５の人体検知部１６が人体の動きを検知する。そして、この検知を制御部１７へ伝達する。制御部１７は通信部１８へ人体検知コマンドを符号化して出力することを指示する。通信部１８は制御部１７の通信要求に基づき、制御部１７から出力され、符号化された通信コマンドを赤外線信号に変換して電源制御アダプタ２へ送信する。
【００５７】
次に、図１４を用いて人体検知センサ１５の動作について説明する。
人体検知センサ１５の制御部１７は、人体検知部１６から入力があるかどうかを判定し（ステップＳ２２）、入力があった場合は、通信部１８に電源制御アダプタ２へ電源ＯＮコマンドを出力するように指示する（ステップＳ２３）。
そこで、電源制御アダプタ２では、制御部９は受信部８により受信した人体検知センサ１５からの赤外線信号を解析し、電源ＯＮを示すコマンドであると判定し、電源制御アダプタ２が電源ＯＮ状態となり、各機器へ電力が供給される。
【００５８】
また、人体検知部１６において、所定時間入力がない、すなわち人がリモコン１を置いている部屋に入ることなく、所定時間、人体が検知されない場合には、通信部１８から電源制御アダプタ２へ電源ＯＦＦコマンドを出力してもよく、これにより、電源制御アダプタ２が電源ＯＦＦ状態となり、各機器への電力供給が停止する。
【００５９】
よって、人体検知センサ１５により、人が部屋に入ったことを検知することにより、電源制御アダプタ２へ電源ＯＮコマンドが送信され、リモコン１がなくても、電源制御アダプタ２が電源ＯＮ状態になり、電源制御アダプタ２から各機器へ電力が供給され、各機器へ必要とする時に電力を供給することができる。
【００６０】
なお、この実施の形態６では、人体検知センサ１５により、人が部屋に入ったことを検知する場合について説明したが、部屋に入った人が動き出したことを検知して、各機器へ電力を供給してもよい。
【００６１】
実施の形態７．
図１５はこの発明の実施の形態７である省電力システムの全体構成図、図１６はこの省電力システムの電流検知アダプタの構成図、図１７はこの電流検知アダプタの動作を示すフローチャートである。なお、リモートコントローラの構成図、電源制御アダプタの構成図は、それぞれ図１０、図２を用いる。
【００６２】
図において、上記実施形態と同一または相当部分には同一符号を付ける。１９は電流検知アダプタ、２０は電流検知アダプタ１９に接続される機器の一例としての電灯である。２１は機器である電灯２０と商用電源４との間に挿入される電源アダプタ、２２は電源アダプタ２１を通して電灯２０に流れる電流を検知しており、電灯２０の点灯による電流変化を検知すると、通信コマンドを組み立てる電流検知部、２３は電流検知部２２からの通信要求に基づいて電流検知部２２から出力される符号化された通信コマンドを赤外線信号に変換して外部へ送信する送信部である。
【００６３】
次に、動作について説明する。
人がリモコン１や各機器を置いている部屋に入り、電流検知アダプタ１９に接続された電灯２０のスイッチを入れることにより、電源アダプタ２１の電流の量が増大する。電流検知部２２がこの電流変化を検知し、電流変化コマンドを符号化して送信部２３に対して出力することを指示する。送信部２３は電流検知部２２からの通信要求に基づいて電流検知部２２から出力される符号化された通信コマンドを赤外線信号に変換してリモコン１へ送信する。
【００６４】
次に、図１７を用いて電流検知アダプタ１９の動作について説明する。
電源アダプタ２１の電流の変化があるかどうかを判定し（ステップＳ２４）、変化があった場合は送信部２３に通信コマンド出力を指示する（ステップＳ２５）。この通信コマンドは、電灯が点灯されたため、人体が検知されたと判断され、人体検知を示す通信コマンドである。
【００６５】
そこで、送信部２３からの人体検知コマンドをリモコン１の通信部１４が受信し、制御部１３へ伝達する。制御部１３では、電灯２０が点灯されたため、操作者がこのあと電源投入操作を行なうと予測し、通信部１４へ電源制御アダプタ２を電源ＯＮし稼動にするよう指示する。なお、制御部１３がリモコン１の過去の操作内容を参照して電源制御アダプタ２がすでに電源ＯＮ状態であることが分かれば指示しない。
なお、リモコン１および電源アダプタ２の動作は、実施の形態５と同様である。
【００６６】
よって、電流検知アダプタ１９により、人が電灯を点灯し、部屋に入ったことを検知することにより、リモコン１へ電源ＯＮコマンドが送信され、他に特別な操作を行うことなく、電源制御アダプタ２が電源ＯＮ状態になり、電源制御アダプタ２から各機器へ電力が供給され、リモコン１により、機器の電源ＯＮ／ＯＦＦ等の各種操作が可能となり、各機器へ必要とする時に電力を供給することができる。
【００６７】
なお、この実施の形態７では、電流検知アダプタ１９からリモコン１へ人体検知を示す通信コマンドを送信する場合について説明したが、実施の形態７のように電源制御アダプタ２へ送信し、各機器へ電力を供給してもよい。
【００６８】
実施の形態８．
図１８はこの発明の実施の形態８である省電力システムの電源制御アダプタの動作を示すフローチャートである。なお、省電力システムの全体構成図、電源制御アダプタの構成図、リモートコントローラの構成図は、それぞれ図１、図２、図１０を用いる。
【００６９】
次に、動作について説明する。
まず、リモコン１では、操作者が操作部１１を操作し、操作部１１から制御部１３へ、例えば各機器の電源ＯＮ／ＯＦＦ、またはテレビ５であれば番組チャンネルの選択等の操作内容を伝達する。制御部１３は操作内容に応じて通信部１４へ通信指示を出す。通信部１４は制御部１３からの通信要求に基づいて制御部１３から出力される符号化された通信コマンドを赤外線信号に変換して電源アダプタ２、各機器へ送信する。
【００７０】
電源制御アダプタ２では、リモコン１から送信された機器コマンドのうち電源ＯＮ／ＯＦＦコマンドに基づき、各機器の電源をＯＮ／ＯＦＦする。
ここで、機器を電源ＯＮする場合は、電源制御アダプタ２から機器への電力が供給されておらず、機器がリモコン１からのコマンドを受信する準備が出来ていないため、まず最初に、電源制御アダプタ２自身が電源ＯＮ状態になり、機器へ商用電力を供給する。その後、リモコン１から機器へ電源ＯＮコマンドを再度送信し、機器を電源ＯＮ状態にする。
【００７１】
次に、図１８を用いて電源制御アダプタ２の制御部９の動作を説明する。
受信部８からの受信信号を解析し、その信号が機器への電源ＯＮ／ＯＦＦコマンドであるかどうか判定する（ステップＳ２６）。そこで、機器への電源ＯＮコマンドであれば、次に、既に機器が電源ＯＮ状態であるかどうか判定する（ステップＳ２７）。そこで、未だ電源ＯＮ状態でなければ、電源制御アダプタ２が電源ＯＮ制御を指示し、さらに受信したコマンドを再度送信するようにリモコン１へ指示する（ステップＳ２８）。
よって、リモコン１からの指示を確実に機器へ伝えることができる。
【００７２】
一方、ステップＳ２６において、受信信号が機器への電源ＯＦＦコマンドであれば、過去のコマンド内容を参照することによって、電源制御アダプタ２に接続されているすべての機器が電源ＯＦＦ状態であるかどうかを調べる（ステップＳ２９）。そこで、すべての機器が電源ＯＦＦ状態であれば、電源制御アダプタ２自身の電源ＯＦＦ制御を指示する（ステップＳ３０）。
よって、各機器の待機電力を確実に削減できる。
なお、電源制御アダプタ２は、実施の形態１と同様に、制御部９の指示を受けて商用電力線４から電力供給線３への電力供給を制御する。
よって、リモコン１と電源制御アダプタ２で手軽に省電力システムを構築できる。
【００７３】
【発明の効果】
この発明は、以上説明したように構成されているので、以下に示すような効果を奏する。
広く普及した既存のリモコン対応機器に簡単に取り付けることができ、傾き検出部により傾いたことが検出された場合に、リモコンが電源制御アダプタへ電源ＯＮを示す信号を送信し、電源制御アダプタが複数の異なる機器へ電源を供給するので、使用者が複数の異なる機器を使うためにリモコンを持ち上げるという自然な操作により複数の異なる機器へ電源が供給され、特別な操作を必要とすることなく待機電力を削減できるという効果がある。
【００７４】
また、リモコンの傾き検出部により傾いたことが検出された場合に、リモコンが電源制御アダプタへ電源ＯＮを示す信号を送信した後、複数の異なる機器毎に電源ＯＮ／ＯＦＦまたは登録されたリモコンコマンドを送信するので、複数の異なる機器に電源が供給された場合に、操作者が意図しない動作を行う機器に対してその動作を停止させる操作を示す信号を送信したり、あるいは、操作者の意図する操作を示す信号を送信することによって、あらかじめ操作者が意図した機器の状態をつくり出すことができるという効果がある。
【００７５】
さらに、所定時間、リモコンの傾き検出部による傾きが検出されず、かつ、複数の異なる機器が全て電源ＯＦＦ状態の場合には、リモコンが電源制御アダプタへ電源ＯＦＦを示す信号を送信するので、リモコンが操作されず、かつ、全ての複数の異なる機器が電源ＯＦＦ状態であれば、所定時間後には待機電力削減状態へ移行することができる。
【００７６】
また、所定時間、リモコンの傾き検出部による傾きが検出されず、かつ、タイマー機能により所定時刻以降であることが判定された場合には、リモコンが、電源制御アダプタへ全ての複数の異なる機器を電源ＯＦＦ状態にする信号を送信し、その後、電源制御アダプタの電源ＯＦＦを示す信号を送信するので、リモコン操作の無い所定時刻以降には、全ての複数の異なる機器を待機電力削減状態へ移行することができる。
【００７７】
また、人体検知手段により人体が検出された場合に、人体検知手段がリモコンへ人体検知信号を送信し、この人体検知信号に基づきリモコンが電源制御アダプタへ電源ＯＮを示す信号を送信し、電源制御アダプタが複数の異なる機器へ電源を供給するので、人が部屋へ入ったことや部屋内の人が動き出したことをトリガー（引金）にして複数の異なる機器が待機電力削減状態から電源ＯＮ状態になり、必要とする時に複数の異なる機器へ電力を供給することができ、操作性の向上を図ることができる。
【００７８】
また、人体検知手段により人体が検出された場合に、人体検知手段が電源制御アダプタへ人体検知信号を送信し、この人体検知信号に基づき電源制御アダプタが複数の異なる機器へ電源ＯＮを示す信号を送信し、複数の異なる機器へ電源を供給するので、人が部屋へ入ったことや部屋内の人が動き出したことをトリガー（引金）にし、リモコンを介することなく、複数の異なる機器が待機電力削減状態から電源ＯＮ状態になり、必要とする時に複数の異なる機器へ電力を供給することができ、操作性の向上を図ることができる。
【００８０】
また、電源制御アダプタが電源ＯＦＦの状態の時に、リモコンから電源制御アダプタへ複数の異なる機器への電源ＯＮを示す信号および複数の異なる機器へ各種操作を示す信号が送信された場合には、電源制御アダプタがリモコンに対して複数の異なる機器への各種操作を示す信号を再送信するので、リモコンからの指示を確実に機器へ伝えることができる。
【００８１】
また、リモコンから電源制御アダプタへ機器への電源ＯＦＦを示す信号が送信され、複数の異なる機器が全て電源ＯＦＦ状態になった場合には、電源制御アダプタを電源ＯＦＦ状態にするので、複数の異なる機器の待機電力を確実に削減できる。
【図面の簡単な説明】
【図１】この発明の実施の形態１を示す省電力システムの全体構成図である。
【図２】この発明の実施の形態１を示す省電力システムの電源制御アダプタの構成図である。
【図３】この発明の実施の形態１を示す省電力システムのリモートコントローラの構成図である。
【図４】この発明の実施の形態１を示す省電力システムのリモートコントローラの動作を示すフローチャートである。
【図５】この発明の実施の形態１を示す省電力システムの電源制御アダプタの動作を示すフローチャートである。
【図６】この発明の実施の形態２を示す省電力システムのリモートコントローラの動作を示すフローチャートである。
【図７】この発明の実施の形態３を示す省電力システムのリモートコントローラの動作を示すフローチャートである。
【図８】この発明の実施の形態４を示す省電力システムのリモートコントローラの動作を示すフローチャートである。
【図９】この発明の実施の形態５を示す省電力システムの全体構成図である。
【図１０】この発明の実施の形態５を示す省電力システムのリモートコントローラの構成図である。
【図１１】この発明の実施の形態５を示す省電力システムの人体検知センサの構成図である。
【図１２】この発明の実施の形態５を示す省電力システムの人体検知センサの動作を示すフローチャートである。
【図１３】この発明の実施の形態５を示す省電力システムのリモートコントローラの動作を示すフローチャートである。
【図１４】この発明の実施の形態６を示す省電力システムの人体検知センサの動作を示すフローチャートである。
【図１５】この発明の実施の形態７を示す省電力システムの全体構成図である。
【図１６】この発明の実施の形態７を示す省電力システムの電流検知アダプタの構成図である。
【図１７】この発明の実施の形態７を示す省電力システムの電流検知アダプタの動作を示すフローチャートである。
【図１８】この発明の実施の形態８を示す省電力システムの電源制御アダプタの動作を示すフローチャートである。
【符号の説明】
１  リモコン、  ２  電源制御アダプタ、  ３ａ  電源供給線、  ３ｂ  電源供給線、  ３ｃ  電源供給線、  ５  テレビ、  ６  ビデオ、  ７  オーディオ装置、  １２  傾き検出部、  １５  人体検知センサ、  １９  電流検知アダプタ、  ２０  電灯。
【図１】
0003551774.tif 000002
【図２】
0003551774.tif 000003
【図３】
0003551774.tif 000004
【図４】
0003551774.tif 000005
【図５】
0003551774.tif 000006
【図６】
0003551774.tif 000007
【図７】
0003551774.tif 000008
【図８】
0003551774.tif 000009
【図９】
0003551774.tif 000010
【図１０】
0003551774.tif 000011
【図１１】
0003551774.tif 000012
【図１２】
0003551774.tif 000013
【図１３】
0003551774.tif 000014
【図１４】
0003551774.tif 000015
【図１５】
0003551774.tif 000016
【図１６】
0003551774.tif 000017
【図１７】
0003551774.tif 000018
【図１８】
0003551774.tif 000019